(57)【要約】      （修正有）【課題】製作時間及び製作コストを極力抑え、商品見本展示室の商品見本の全てを強調させることができるようにすること、及び光源により、商品見本をより強調させることができる自動販売機を提供する。【解決手段】縦長略直方体の筐体１と、この筐体１の前面に開閉自在に取り付けられた開閉扉２と、この開閉扉２の上部側に設けられた商品見本展示室４と、この商品見本展示室４内に配設されかつ前方の光透過板から見える商品見本５を反射光によって強調することができるように該商品見本５の背後の配設された反射部材８とを備えた自動販売機Ｘであって、反射部材８は、操作ボタン７ａと共に左右及び上下方向に所定間隔を有して列状に見えるように設けられた複数個の商品見本５の略全てに対して反射光を当てることができるように幅広く配設され、しかも該反射部材８は薄板状又はシート状或いは又フイルム状のものである。【選択図】図２
0003210684.tif 000002
【実用新案登録請求の範囲】
【請求項１】
縦長略直方体の筐体と、この筐体の前面に開閉自在に取り付けられた開閉扉と、この開閉扉の上部側に設けられた商品見本展示室と、この商品見本展示室内に配設されかつ前方の光透過板から見える商品見本を反射光によって強調することができるように該商品見本の背後の配設された反射部材とを備えた自動販売機であって、
前記反射部材は、操作ボタンと共に左右及び上下方向に所定間隔を有して列状に見えるように設けられた複数個の商品見本の略全てに対して前記反射光を当てることができるように幅広く配設され、しかも該反射部材は薄板状又はシート状或いは又フイルム状のものであることを特徴とする自動販売機。
【請求項２】
請求項１の自動販売機に於いて、反射部材の材質は、ステンレス材又はアルミニウム材又は合成樹脂製のシート又は合成樹脂製のフイルムのいずれかであり、その大さは、前方の光透過板から見える左右及び上下方向に併設された複数段の商品見本郡の全部をそれぞれカバーするように幅広帯状に形成され、その数は複数枚であり、その配列態様は、互いに略面一状態であることを特徴とする自動販売機。
【請求項３】
請求項１の自動販売機に於いて、反射部材の材質はステンレス材又はアルミニウム材又は合成樹脂製のシート又は合成樹脂製のフイルムのいずれかであり、その大さは、前方の光透過板から見える左右及び上下方向に併設された複数段の商品見本郡の全部をカバーするように幅広矩形状に形成され、その数は１枚であり、その配列態様は上下方向に略垂直板状に設けられていることを特徴とする自動販売機。
【請求項４】
請求項１の自動販売機に於いて、反射部材の材質はステンレス材であり、その数は１枚であり、その構成は、矩形状の垂直本体部と、この垂直本体部の左右端部を前方の光透過板側に鈍角状に折り曲げ形成された左右側板部とから成り、さらに、前記垂直本体部には、商品見本用支持台が係合する複数の被係合水平部が形成されていることを特徴とする自動販売機。
【請求項５】
請求項４の自動販売機に於いて、少なくとも商品見本用支持台の一部には、反射部材の前面に光が当たる光源が設けられていることを特徴とする自動販売機。
【請求項６】
請求項１の自動販売機に於いて、前面扉の商品見本展示室、商品取り出し口、コイン投入口、紙幣投入口及び釣り銭口を除く前面扉の略前面には、反射部材と同一素材の複数のカバー材が添設されていることを特徴とする自動販売機。
【考案の詳細な説明】
【技術分野】
【０００１】
本考案は、缶コーヒー、缶入り或いはペットボトル入り清涼飲料、缶入り或いはペットボトル入り果実飲料などを販売する自動販売機に関する。
【背景技術】
【０００２】
特許文献１の発明の課題は、他の自動販売機とレイアウト上の差別化を図ることができるとともに、部品コストの増加、およびランニングコストが増加することを防止することである。この課題を達成するために、前面扉１１の上部領域に商品見本展示室１５を設け、当該商品見本展示室１５を第１商品見本展示室１７と第２商品見本展示室１８に区別するものである。
【０００３】
しかして、例えば特許文献１の図５及び図６と段落００５０を見ると、前記第２商品見本展示室１８に展示された第２商品見本５２を第１商品見本展示室１７よりも強調（視覚に訴える）するために、第２商品見本５２用支持具５３の傾斜状本体部５３ａの略中央部に透孔５３ｅを形成し、この透孔の裏側に位置するように上端部或いは断面コ字形状の傾斜状反射板５４を配設する事項が記載されている（符号は特許文献１のもの）。
【０００４】
しかしながら、上記構成の傾斜状反射板５４は、第２商品見本５２用支持具５３と共に、第２商品見本展示室１８に展示された個々の第２商品見本５２を、いわば個別的に反射光により強調するものであるから、構造が複雑化する、製作コストがかかる、製作が容易でない等の問題点があった。しかも、第１商品見本展示室１７に展示されている第１商品見本をその背後から光を当て、当該第１商品見本が浮き出るように、或いは目立つようにするものではない。
【先行技術文献】
【特許文献】
【０００５】
【特許文献１】特開２００８−１９７７８９号公報
【考案の開示】
【考案が解決しようとする課題】
【０００６】
そこで、本考案の主たる課題は、製作時間及び製作コストを極力抑え、商品見本展示室の商品見本の全てを強調させる（目立たせる）ことができるようにすることである。本考案の二次的課題は、光源により、商品見本をより強調させる（目立たせる）ことができること、商品見本用支持台を反射部材に簡単にセットすることができること、既成の自動販売の外観と比較して意匠上の趣向を凝らすことができること等である。
【課題を解決するための手段】
【０００７】
本考案の自動販売機は、縦長略直方体の筐体と、この筐体の前面に開閉自在に取り付けられた開閉扉と、この開閉扉の上部側に設けられた商品見本展示室と、この商品見本展示室内に配設されかつ前方の光透過板から見える商品見本を反射光によって強調することができるように該商品見本の背後の配設された反射部材とを備えた自動販売機であって、前記反射部材は、操作ボタンと共に左右及び上下方向に所定間隔を有して列状に見えるように設けられた複数個の商品見本の略全てに対して前記反射光を当てることができるように幅広く配設され、しかも該反射部材は薄板状又はシート状或いは又フイルム状のものであることを特徴とする。
【０００８】
上記構成に於いて、反射部材の材質は、ステンレス材又はアルミニウム材又は合成樹脂製のシート又は合成樹脂製のフイルムのいずれかであり、その大さは、前方の光透過板から見える左右及び上下方向に併設された複数段の商品見本郡の全部をそれぞれカバーするように幅広帯状に形成され、その数は複数枚であり、その配列態様は、互いに略面一状態であることを特徴とする。
【０００９】
また、反射部材の材質はステンレス材、又はアルミニウム材、又は合成樹脂製のシート、又は合成樹脂製のフイルムのいずれかであり、その大さは、前方の光透過板から見える左右方向及び上下方向に併設された複数段の商品見本郡の全部をカバーするように幅広矩形状に形成され、その数は１枚であり、その配列態様は上下方向に略垂直板状に設けられていることを特徴とする。
【００１０】
また、反射部材の材質はステンレス材であり、その数は１枚であり、その構成は、矩形状の垂直本体部と、この垂直本体部の左右端部を前方の光透過板側に鈍角状に折り曲げ形成された左右側板部とから成り、さらに、反射部材の下端部には、少なくとも前記垂直本体部又は左右側板部のいずれかから突出し、かつ左右方向に一連に延在する商品見本用支持台を載せることができる水平支持部が一体的に設けられていることを特徴とする。さらに、前記商品見本用支持台の一部には、反射部材の前面に光が当たる光源が設けられていることを特徴とする。加えて、前面扉の商品見本展示室、商品取り出し口、コイン投入口、紙幣投入口及び釣り銭口を除く前面扉の略前面には、反射部材と同一素材の複数のカバー材が添設されていることを特徴とする。ここで「商品見本」とは、その形状移如何を問わず、立体的なもの及び平面的なものを含む。
【考案の効果】
【００１１】
（ａ）請求項１に記載の考案は、製作時間及び製作コストを極力抑え、商品見本展示室の商品見本の全てを強調させる（目立たせる）ことができる。
（ｂ）請求項２に記載の考案は、反射部材の材質は、金属製のステンレス材、又はアルミニウム材、又は合成樹脂製のシート、又は合成樹脂製のフイルムのいずれかであり、その大さは、前方の光透過板から見える左右方向及び上下方向に併設された複数段の商品見本郡の全部をカバーするように幅広帯状に形成され、その数は、複数枚であり、その配列態様は、上下方向に面一状態に設けられているので、安価な材料で商品見本郡を強調（引き出す）することができると共に、反射部材の枚数は、左右及び上下方向に一連並べられた商品見本郡の数、普通一般的に、「下段」と「中段」と「上段」の三列なので、反射部材の枚数及び大きさも、これらの列に対応して商品見本展示室の中扉或いは内壁面に、例えば貼り付ければ良いので、製作時間、製作コスト等の面で実用的な効果がある。
（ｃ）請求項３に記載の考案は、幅広矩形状に形成され、その数は１枚であり、その配列態様は上下方向に略垂直状態に設けられているので、請求項２に記載の考案よりも、製作時間、製作コスト等の面で実用的な効果がある。
（ｄ）請求項４に記載の考案は、反射部材の垂直本体部に商品見本用支持台を簡単に係着させることができる。
（ｅ）請求項５に記載の考案は、光源により、商品見本用支持台に支持された商品見本が浮き出るように見える（商品見本に対する視覚上の強調）。
（ｆ）請求項６に記載の考案は、既成の自動販売の外観と比較して意匠上の趣向を凝らすことができ、例えば自動販売機用装飾体の絵柄に温かい缶コーヒー或いは冷たい缶コーヒーの印象を一般の需要者に与えるような任意の装飾（絵、模様、図形等）を施すことができる。
【図面の簡単な説明】
【００１２】
図１乃至図４は本考案の第１実施形態を示す各説明図、図５乃至図８は本考案の第２実施形態を示す各説明図、図９は反射部材の第２実施形態を示す説明図、図１０は反射部材の第３実施形態を示す説明図である。
【図１】第１実施形態の使用状態を示す斜視図。
【図２】分解斜視図。
【図３】一枚の反射部材８の斜視図。
【図４】図３に於ける４−４線縦断面図。
【図５】本考案の第２実施形態の使用状態を示す斜視図。
【図６】要部の分解斜視図。
【図７】複数のカバー材の説明図。
【図８】複数のカバー材を取付ける前の説明図。
【図９】反射部材の第２実施形態を示す説明図。
【図１０】は反射部材の第３実施形態を示す説明図。
【考案を実施するための最良の形態】
【００１３】
以下、図面を参照にして、本考案の第１実施形態を説明する。この第１実施形態の自動販売機Ｘは、縦長略直方体の筐体１と、この筐体の前面にヒンジを介して開閉自在に取り付けられた開閉扉２と、この開閉扉の上部側３に設けられた商品見本展示室４と、この商品見本展示室内に配設され、かつ、商品見本展示室４を形成する前方の光透過板４ａから見える多数の商品見本５を反射光によって強調することができるように該商品見本５の背後の配設された単数又は複数の反射部材８とを備えている。
【００１４】
前記反射部材８は、例えば図２及び図３で示すように単数（一枚）である。本実施形態は、反射部材８が重要な要素なので、ここでは該反射部材８に絞って説明する。
さて、好ましく実施形態としは、反射部材８の材質はステンレス材であり、製作のコスト面を考慮すると、その数は１枚であり、さらに、複数段の商品見本郡５、５、５の配置、該商品見本郡用の各商品見本用支持台６の取付けの簡易化を考慮すると、その構成は、矩形状の垂直本体部８ａと、この垂直本体部の左右端部を前方の光透過板４ａ側に鈍角状に折り曲げ形成された左右一対の側板部８ｂ、８ｂとから成る。
【００１５】
そして、反射部材８の下端部には、少なくとも前記垂直本体部８ａ又は左右側板部８ｂのいずれかから突出し、かつ左右方向に一連に延在する商品見本用支持台６を載せることができる単数又は複数の水平支持部８ｃが一体的に設けられている。
【００１６】
この実施形態では、さらに、前記垂直本体部８ａには、各商品見本用支持台６がそれぞれ係脱（係合、嵌合）する複数（３個）の被係合水平部（水平透孔、水平切欠）８ｄが形成されている。
【００１７】
なお、被係合水平部としての水平透孔８ｄは、垂直本体部８ａの略中央部に平行状態に上方と下方に２つ形成され、これらの内、上方の水平透孔８ｄには、上段に位置する商品見本用支持台６が係合し、一方、下方の水平透孔８ｄには、中段に位置する商品見本用支持台６が係合し、さらに、垂直本体部８ａの下端部に形成された所定幅の水平切欠８ｄには、下段の商品見本用支持台６が、望ましくは左右一対の水平支持部８ｃに支持されるように嵌め込まれる。
【００１８】
図４は図３に於ける４−４線縦断面図である。この図４では、後半分が垂直方向にカットされた商品見本５が、下段乃至上段の各商品見本用支持台６に載っているが、これらの商品見本用支持台６の適宜箇所及び垂直本体部８ａの内壁面の上端部或いは上端部寄りの部位にそれぞれ光源Ｌが配備されている。光源Ｌは、望ましくはＬＥＤが使用されている。
【００１９】
その他付随的事項を説明すると、７は操作ボタン用ユニット、７ａは操作ボタン用ユニット７に形成された凹所或いは透孔に嵌め込まれた操作ボタンである。また前面扉２の前面には、コイン投入口９、紙幣投入口１０、広告表示部１１、商品取出し口１２、返却口１３等が設けられている。なお、筐体１の具体的構成は周知技術なので、詳細な説明は割愛する。
【００２０】
次に、図５乃至図１０を参照にして、本発明の他の実施形態を説明する。なお、他の実施形態の説明に当たって、第１実形態と同一の部分には同一又は同様の符号を付して重複する説明を割愛する。
【００２１】
まず図５乃至図８は、複数のカバー体を加味した本考案の第２実施形態を示す各説明図である。この第２実施形態が第１実施形態と主に異なる事項は、自動販売機Ｘ１の前面扉２の前面に、第１実施形態の反射板８の素材と同一素材の複数のカバー材を設けた点である。
【００２２】
したがって、この実施形態では、素材自在の反射性を活用するために無塗装のステンレス材を用いている。カバー材に関して、例えば図７、図８で示すように、上部端辺が直角に折曲がった横長状の上部ステンレスパネル２０、板面に多数の通気孔を有する横長状の下部ステンレスパネル２１、細長状の板材を曲面状にした左右のステンレス縦枠部材２２、２３を接着剤又は両面テープなどで貼り付ける。この場合、前記各カバー体を商品見本展示室４、商品取り出し口１２、コイン投入口９、紙幣投入口１０、釣り銭口１３等を除く前面扉の前面に適宜に添設するのが望ましい。このように構成すると、既成の自動販売の外観と比較して意匠上の趣向を凝らすことができる。
【００２３】
次に、図９は反射部材８Ａの第２実施形態を示す説明図、図１０は反射部材８Ｂの第３実施形態を示す説明図である。
【００２４】
前述したように、反射部材８は、操作ボタン７ａと共に左右及び上下方向に所定間隔を有して列状に見えるように設けられた複数個の商品見本５、５、５の略全てに対して反射部材８の反射光を当てることができるように幅広く配設され、しかも該反射部材８は薄板状又はシート状或いは又フイルム状のものである。
【００２５】
したがって、第２実施形態の反射部材８Ａは、その材質は、ステンレス材又はアルミニウム材又は合成樹脂製のシート又は合成樹脂製のフイルムのいずれかであり、その大さは、前方の光透過板４ａから見える左右及び上下方向に併設された複数段の商品見本郡５、５、５の全部をそれぞれカバーするように幅広帯状に形成され、その数は複数枚（例えば３枚）であり、その配列態様は、互いに略面一状態である。
【００２６】
また第３実施形態の反射部材８Ｂは、第１実施形態の反射部材８並びに第２実施形態の反射部材８Ａと同様に、その材質はステンレス材、又はアルミニウム材、又は合成樹脂製のシート、又は合成樹脂製のフイルムのいずれかであり、その大さは、商品見本展示室４の前方の光透過板４ａから見える左右方向及び上下方向に併設された複数段の商品見本郡（図２では下段と中段と上段の３つ）の全部をカバーするように幅広矩形状に形成され、その数は１枚であり、その配列態様は上下方向に略垂直板状に設けられている。
以上のように構成しても、本考案の主たる課題を達成することができる。
【産業上の利用可能性】
【００２７】
本考案は自動販売機である。
【符号の説明】
【００２８】
Ｘ、Ｘ１…自動販売機、                Ｌ…光源、
１…筐体、
２…前面扉、
４…商品見本展示室、
５…商品見本、
６…商品見本用支持台、
７…操作ボタン用ユニット、
８、８Ａ、８Ｂ…反射部材、
２０…上部テンレスパネル、
２１…下部ステンレスパネル、
２２、２３…ステンレス縦枠部材。
【図１】
0003210684.tif 000003
【図２】
0003210684.tif 000004
【図３】
0003210684.tif 000005
【図４】
0003210684.tif 000006
【図５】
0003210684.tif 000007
【図６】
0003210684.tif 000008
【図７】
0003210684.tif 000009
【図８】
0003210684.tif 000010
【図９】
0003210684.tif 000011
【図１０】
0003210684.tif 000012